(57)【特許請求の範囲】
【請求項１】
アノードに電源電圧が印加されたスイッチダイオードを有し、前記スイッチダイオードのオン又はオフによってＶＨＦ帯のハイバンドまたはローバンドに同調するように切り替えられるＶＨＦ同調回路と、ＵＨＦ帯のテレビジョン信号を増幅するＵＨＦ増幅器と、前記スイッチダイオードをオン又はオフさせる電圧を発生すると共に、前記ＵＨＦ増幅器に電源電圧を印加する切替電圧発生回路とを備え、前記切替電圧発生回路にはエミッタが接地された第一のスイッチトランジスタと、コレクタに電源電圧が印加された第二のスイッチトランジスタと、エミッタが接地されると共にベースが前記第二のスイッチトランジスタのベースに接続される第三のスイッチトランジスタとを設け、前記第一及び第三のスイッチトランジスタのコレクタを前記スイッチダイオードのカソードに直流的に接続すると共に、前記第二のスイッチトランジスタのエミッタを前記ＵＨＦ増幅器に接続し、ＵＨＦ帯のテレビジョン信号の受信時には前記第一のスイッチトランジスタをオフにすると共に前記第二及び第三のスイッチトランジスタをオンにし、ハイバンドのテレビジョン信号の受信時には前記第一のスイッチトランジスタをオンにすると共に前記第二及び第三のスイッチトランジスタをオフにし、ローバンドのテレビジョン信号の受信時には前記第一、第二及び第三のスイッチトランジスタをオフにしたことを特徴とするテレビジョンチューナのバンド切替回路。
【請求項２】
前記第三のスイッチトランジスタのコレクタを第一の抵抗を介して前記第一のスイッチトランジスタのコレクタに接続したことを特徴とする請求項１に記載のテレビジョンチューナのバンド切替回路。
【請求項３】
前記スイッチダイオードのアノードとカソードとの間を第二の抵抗によって直流的に接続したことを特徴とする請求項１又は２に記載のテレビジョンチューナのバンド切替回路。
【請求項４】
前記切替電圧発生回路を内部に構成する集積回路を有し、前記集積回路には前記電源電圧が供給される第一の端子と、前記第一のスイッチトランジスタのコレクタが接続される第二の端子と、前記第二のスイッチトランジスタのエミッタが接続される第三の端子とを設け、前記第二のトランジスタのコレクタを前記集積回路内で前記第一の端子に接続したことを特徴とする請求項１乃至３のいずれかに記載のテレビジョンチューナのバンド切替回路。
【発明の詳細な説明】
【０００１】
【発明の属する技術分野】
この発明は、テレビジョンチューナに適用されるバンド切替回路に関する。
【０００２】
【従来の技術】
従来のテレビジョンチューナのバンド切替回路を図３に示す。アンテナ端子３１に接続されたＶＨＦアンテナ同調回路３２はその内部に設けられているスイッチダイオード３２ａのオン又はオフによってＶＨＦ帯のハイバンドのテレビジョン信号又はローバンドのテレビジョン信号に同調するように切り替えられる。
【０００３】
ＶＨＦアンテナ同調回路３２の次段にはＶＨＦ増幅器３３が設けられ、ＶＨＦ増幅器３３の次段にはＶＨＦ段間同調回路３４が設けられる。
ＶＨＦ段間同調回路３４は複同調回路で構成され、内部にはスイッチダイオード３４ａが設けられる。そして、ＶＨＦアンテナ同調回路３２と同様に、スイッチダイオード３４ａのオン又はオフによってＶＨＦ帯のハイバンドのテレビジョン信号又はローバンドのテレビジョン信号に同調するように切り替えられる。
なお、ＶＨＦアンテナ同調回路３２におけるスイッチダイオード３２ａのカソードと、ＶＨＦ段間同調回路３４におけるスイッチダイオード３４ａのカソードとは図示しない抵抗によって直流的に接地されている。
【０００４】
ＶＨＦ段間同調回路３４の後段には図示しないＶＨＦ混合器等が設けられる。そして、ＶＨＦアンテナ同調回路３２、ＶＨＦ増幅器３３、ＶＨＦ段間同調回路３４、ＶＨＦ混合器等によってＶＨＦチューナ部が構成される。
【０００５】
また、アンテナ端子３１にはＵＨＦアンテナ同調回路３５が接続され、ＵＨＦアンテナ同調回路３５の次段にはＵＨＦ増幅器３６が設けられる。ＵＨＦ増幅器３６はＵＨＦ帯のテレビジョン信号を受信するときにのみ動作状態に切り替えられる。ＵＨＦ増幅器３６の次段にはＵＨＦ段間同調回路３７が設けられる。ＵＨＦ段間同調回路も複同調回路で構成される。ＵＨＦ段間同調回路３７の後段には図示しないＵＨＦ混合器等が設けられ、ＵＨＦアンテナ同調回路３５、ＵＨＦ増幅器３６、ＵＨＦ段間同調回路３７、ＵＨＦ混合器等によってＵＨＦチューナ部が構成される。
【０００６】
ＶＨＦアンテナ同調回路３２とＶＨＦ段間同調回路３４との同調周波数バンドの切り替えと、ＵＨＦ増幅器の動作切り替えとは切替電圧発生回路４１によって行われる。切替電圧発生回路４１は集積回路４０内に構成される。集積回路４０内には切替電圧発生回路４１の他にも発振回路やＰＬＬ回路等が構成されているが、図示を省略している。
【０００７】
集積回路４０には少なくとも切替電圧発生回路４１に関係する四個の端子４０ａ、４０ｂ、４０ｃ、４０ｄが設けられる。また、切替電圧発生回路４１には独立した三個のスイッチトランジスタ４１ａ、４１ｂ、４１ｃが設けられる。そして、各スイッチトランジスタ４１ａ、４１ｂ、４１ｃのコレクタが第一の端子４０ａに接続される。第一の端子４０ａには電源電圧が供給される。
また、第一のスイッチトランジスタ４１ａのエミッタが第二の端子４０ｂに接続され、第二のスイッチトランジスタ４１ｂのエミッタが第三の端子４０ｃに接続され、第三のスイッチトランジスタ４１ｃのエミッタが第四の端子４０ｄに接続される。
【０００８】
さらに、第二の端子４０ｂはＶＨＦアンテナ同調回路３２におけるスイッチダイオード３２ａのカソードとＶＨＦ段間同調回路３４におけるスイッチダイオード３４ａのカソードとに直流的に接続される。第三の端子４０ｃはＶＨＦアンテナ同調回路３２におけるスイッチダイオード３２ａのアノードとＶＨＦ段間同調回路３４におけるスイッチダイオード３４ａのアノードとに直流的に接続される。また、第四の端子４０ｄはＵＨＦ増幅器３５のバイアス電圧供給端に接続される。また、集積回路４０の外部では抵抗４２とダイオード４３との直列回路によって第三の端子４０ｃと第四の端子４０ｄとが相互に接続されている。ダイオード４３はアノードが第四の端子４０ｄ側、カソードが第三の端子４０ｃ側となる向きに接続される。
【０００９】
各スイッチトランジスタ４１ａ、４１ｂ、４１ｃのベースにはそれらを独立してオン又はオフとするためのハイレベル又はローレベルの制御電圧が印加される。制御電圧がハイレベルとなるか又はローレベルとなるかは集積回路４０に入力されるチャンネル選局信号によって決まり、いずれのスイッチトランジスタもハイレベルの制御電圧によってオンとなり、ローレベルの制御電圧によってオフとなる。
【００１０】
図４は目的とするバンドに切り替えられるときの各スイッチトランジスタ４１ａ、４１ｂ、４１ｃのオン／オフの状態を示しているが、図中、ＴＲ１は第一のスイッチトランジスタ４１ａ、ＴＲ２は第二のスイッチトランジスタ４１ｂ、ＴＲ３は第三のスイッチトランジスタを示す。
【００１１】
先ず、ＵＨＦバンドのテレビジョン信号を受信するときは、第一及び第二のスイッチトランジスタ４１ａ、４１ｂがオフ、第三のスイッチトランジスタ４１ｃがオンとなる。すると、第四の端子４０ｄに電源電圧が現れ、これが切替電圧となってＵＨＦ増幅器３６に印加され、ＵＨＦ増幅器３６が動作状態となる。このとき、抵抗４２、ダイオード４３を介してスイッチダイオード３２ａ、３４ａのアノードにも切替電圧が供給されるので、これらのスイッチダイオードがオンとなり、ＶＨＦアンテナ同調回路３２とＶＨＦ段間同調回路３４とがＶＨＦ帯のハイバンドに同調するように切り替えられる。此によって各同調回路３２、３４からの妨害を回避する。
【００１２】
ＶＨＦ帯のハイバンドのテレビジョン信号を受信するときは、第一のスイッチトランジスタ４１ａがオフ、第二のスイッチトランジスタ４１ｂがオン、第三のスイッチトランジスタ４１ｃがオフとなる。すると、電源電圧は第三の端子４０ｃに現れ、これが切替電圧となって各スイッチダイオード３２ａ、３４ａのアノードに供給され、これらがオンとなり、各同調回路３２、３４はハイバンドに同調する。このとき、ダイオード４３によってＵＨＦ増幅器３５への切替電圧の供給はストップされる。
【００１３】
次に、ＶＨＦ帯のローバンドのテレビジョン信号を受信するときは、第一のスイッチトランジスタ４１ａがオン、第二及び第三のスイッチトランジスタ４１ｂ、４１ｃがオフとなる。すると、第二の端子４０ｂに電源電圧が現れ、これが切替電圧となって各スイッチダイオード３２ａ、３４ａのカソードに供給され、これらはオフとなり、二つの同調回路３２、３４はローバンドに同調する。
【００１４】
【発明が解決しようとする課題】
以上のように、ＶＨＦアンテナ同調回路とＶＨＦ段間同調回路との同調バンドの切替と、ＵＨＦ増幅器の動作切替とを切替電圧発生回路によって行うが、スイッチダイオードのアノードとカソードとに切替電圧を供給することから集積回路には切替電圧発生回路に関係する四個の端子を設けている。このため、各同調回路と集積回路との間の接続のための配線が煩雑となっていた。また、集積回路は端子数が多いので、小型化が図れなかった。
【００１５】
本発明では、切替電圧発生回路の端子の数を減らし、同調回路との接続のための配線を簡素化し、切替電圧発生回路を構成する集積回路の小型化を図ることを目的とする。
【００１６】
【課題を解決するための手段】
上記の課題を解決する手段として、本発明においては、アノードに電源電圧が印加されたスイッチダイオードを有し、前記スイッチダイオードのオン又はオフによってＶＨＦ帯のハイバンドまたはローバンドに同調するように切り替えられるＶＨＦ同調回路と、ＵＨＦ帯のテレビジョン信号を増幅するＵＨＦ増幅器と、前記スイッチダイオードをオン又はオフさせる電圧を発生すると共に、前記ＵＨＦ増幅器に電源電圧を印加する切替電圧発生回路とを備え、前記切替電圧発生回路にはエミッタが接地された第一のスイッチトランジスタと、コレクタに電源電圧が印加された第二のスイッチトランジスタと、エミッタが接地されると共にベースが前記第二のスイッチトランジスタのベースに接続される第三のスイッチトランジスタとを設け、前記第一及び第三のスイッチトランジスタのコレクタを前記スイッチダイオードのカソードに直流的に接続すると共に、前記第二のスイッチトランジスタのエミッタを前記ＵＨＦ増幅器に接続し、ＵＨＦ帯のテレビジョン信号の受信時には前記第一のスイッチトランジスタをオフにすると共に前記第二及び第三のスイッチトランジスタをオンにし、ハイバンドのテレビジョン信号の受信時には前記第一のスイッチトランジスタをオンにすると共に前記第二及び第三のスイッチトランジスタをオフにし、ローバンドのテレビジョン信号の受信時には前記第一、第二及び第三のスイッチトランジスタをオフにした。
【００１７】
また、前記第三のスイッチトランジスタのコレクタを第一の抵抗を介して前記第一のスイッチトランジスタのコレクタに接続した。
【００１８】
また、前記スイッチダイオードのアノードとカソードとの間を第二の抵抗によって直流的に接続した。
【００１９】
また、前記切替電圧発生回路を内部に構成する集積回路を有し、前記集積回路には前記電源電圧が供給される第一の端子と、前記第一のスイッチトランジスタのコレクタが接続される第二の端子と、前記第二のスイッチトランジスタのエミッタが接続される第三の端子とを設け、前記第二のトランジスタのコレクタを前記集積回路内で前記第一の端子に接続した。
【００２０】
【発明の実施の形態】
本発明のテレビジョンチューナのバンド切替回路を図１に示す。アンテナ端子１に接続されたＶＨＦアンテナ同調回路２は、直列接続された少なくとも二つのインダクタンス素子２ａ、２ｂと、これらに高周波的に並列接続されるバラクタダイオード２ｃと、二つのインダクタンス素子２ａ、２ｂの接続点にアノードが接続され、一方のインダクタンス素子２ｂに高周波的に並列接続されるスイッチダイオード２ｄとを有し、スイッチダイオード２ｄには一方のインダクタンス素子２ｂを介して第二の抵抗２ｅが並列に接続される。そして、スイッチダイオード２ｄのアノードには一方のインダクタンス素子２ｂを介して電源電圧Ｂが印加される。
【００２１】
以上のように構成されたＶＨＦアンテナ同調回路２はスイッチダイオード２ｄのオン又はオフによってＶＨＦ帯のハイバンドのテレビジョン信号又はローバンドのテレビジョン信号に同調するように切り替えられる。
なお、同調周波数はバラクタダイオード２ｄのカソードに供給される同調電圧によって設定される。
【００２２】
ＶＨＦアンテナ同調回路２の次段にはＶＨＦ増幅器３が設けられ、ＶＨＦ増幅器３の次段にはＶＨＦ段間同調回路４が設けられる。
ＶＨＦ段間同調回路４は複同調回路で構成され、詳細な図示は省略するが、ＶＨＦアンテナ同調回路２と同様に、アノードに電源電圧が印加されたスイッチダイオード４ａを有し、これのオン又はオフによってＶＨＦ帯のハイバンドのテレビジョン信号又はローバンドのテレビジョン信号に同調するように切り替えられる。
【００２３】
ＶＨＦ段間同調回路４の後段には図示しないＶＨＦ混合器等が設けられる。そして、ＶＨＦアンテナ同調回路２、ＶＨＦ増幅器３、ＶＨＦ段間同調回路４、ＶＨＦ混合器等によってＶＨＦチューナ部が構成される。
【００２４】
また、アンテナ端子１にはＵＨＦアンテナ同調回路５が接続され、ＵＨＦアンテナ同調回路５の次段にはＵＨＦ増幅器６が設けられる。ＵＨＦ増幅器６はＵＨＦ帯のテレビジョン信号を受信するときにのみ動作状態に切り替えられる。ＵＨＦ増幅器６の次段にはＵＨＦ段間同調回路７が設けられる。ＵＨＦ段間同調回路７も複同調回路で構成される。ＵＨＦ段間同調回路７の後段には図示しないＵＨＦ混合器等が設けられ、ＵＨＦアンテナ同調回路５、ＵＨＦ増幅器６、ＵＨＦ段間同調回路７、ＵＨＦ混合器等によってＵＨＦチューナ部が構成される。
【００２５】
ＶＨＦアンテ同調回路２とＶＨＦ段間同調回路４との同調周波数バンドの切り替えと、ＵＨＦ増幅器５の動作切り替えとは切替電圧発生回路１１によって行われる。切替電圧発生回路１１は集積回路１０内に構成される。集積回路１０内には切替電圧発生回路１１の他にも発振回路やＰＬＬ回路等が構成されているが、図示を省略している。
【００２６】
集積回路１０には少なくとも切替電圧発生回路１１に関係する三個の端子１０ａ、１０ｂ、１０ｃが設けられる。また、切替電圧発生回路１１にはＮＰＮ型の三個のスイッチトランジスタ１１ａ、１１ｂ、１１ｃが設けられる。第一のスイッチトランジスタ１１ａと第三のスイッチトランジスタ１１ｃとの各エミッタは接地され、互いのコレクタは第一の抵抗１１ｄによって接続される。また、第二のスイッチトランジスタ１１ｂのコレクタは集積回路１０内で第一の端子１０ａに接続される。第二のスイッチトランジスタ１１ｂのベースと第三のスイッチトランジスタ１１ｃのベース同士は互いに接続される。
【００２７】
そして、第一の端子１０ａには電源電圧Ｂが印加され、第二の端子１０ｂはＶＨＦアンテナ同調回路２におけるスイッチダイオード２ｄのカソードとＶＨＦ段間同調回路４におけるスイッチダイオード４ａのカソードとに直流的に接続され、第三の端子１０ｃはＵＨＦ増幅器６のバイアス電圧供給端に接続される。
【００２８】
第一のスイッチトランジスタ１１ａのベースと、第二及び第三のスイッチトランジスタ１１ｂ、１１ｃのベースとにはそれらをオン又はオフとするためのハイレベル又はローレベルの制御電圧が印加される。制御電圧がハイレベルとなるか又はローレベルとなるかは集積回路１０に入力されるチャンネル選局信号によって決まり、いずれのスイッチトランジスタもハイレベルの制御電圧によってオンとなり、ローレベルの制御電圧によってオフとなる。
【００２９】
図２は目的とするバンドに切り替えられるときの各スイッチトランジスタのオン／オフの切替状態を示しているが、図中、ＴＲ１は第一のスイッチトランジスタ１１ａ、ＴＲ２／ＴＲ３は第二のスイッチトランジスタ１１ｂ及び第三のスイッチトランジスタ１１ｃを示す。
【００３０】
先ず、ＵＨＦバンドのテレビジョン信号を受信するときは、第一及のスイッチトランジスタ１１ａがオフ、第二及び第三のスイッチトランジスタ１１ｂ、１１ｃがオンとなる。すると、第三の端子１０ｃに電源電圧が現れ、これが切替電圧となってＵＨＦ増幅器６に印加され、ＵＨＦ増幅器６が動作状態となる。また、第三のスイッチトランジスタ１１ｃがオンとなることでＶＨＦアンテナ同調回路２におけるスイッチダイオード２ｄとＶＨＦ段間同調回路４におけるスイッチダイオード４ａとがオンとなる。オン電流は第一の抵抗１１ｄを流れる。そして、各同調回路２、４はハイバンドに同調するように切り替えられる。此によって各同調回路２、４からの妨害を回避する。
【００３１】
ＶＨＦ帯のハイバンドのテレビジョン信号を受信するときは、第一のスイッチトランジスタ１１ａがオン、第二及び第三のスイッチトランジスタ１１ｂ、１１ｃがオフとなる。すると、ＶＨＦアンテナ同調回路２におけるスイッチダイオード２ｄと、ＶＨＦ段間同調回路４におけるスイッチダイオード４ａがオンとなり、各同調回路２、４はハイバンドに同調するように切り替えられる。
但し、スイッチダイオード２ｄ、４ａに流れる電流は、第一のスイッチトランジスタ１１ａに流れるので、ＵＨＦバンド時に比べて大きくなり、スイッチダイオード２ｄ、４ａによるロスを少なくしている。
一方、第三の端子１０ｃには電源電圧が現れないので、ＵＨＦ増幅器６には切替電圧が供給されない。
【００３２】
ＶＨＦ帯のローバンドのテレビジョン信号を受信するときは、第一のスイッチトランジスタ１１ａ、第二及び第三のスイッチトランジスタ１１ｂ、１１ｃが共にオフとなる。これによってＶＨＦアンテナ同調回路２におけるスイッチダイオード２ｄと、ＶＨＦ段間同調回路４におけるスイッチダイオード４ａがオフとなり、各同調回路２、４はローバンドに同調するように切り替えられる。また、ＵＨＦ増幅器６には切替電圧が供給されない。
スイッチダイオード２ｄがオフとなるときはそのアノードとカソードとの間は第二の抵抗２ｅによって同電位に保たれるので、オフ状態のスイッチダイオード２ｄが不安定になることはない。ＶＨＦ段間同調回路４におけるスイッチダイオード４ａも同様である。
【００３３】
【発明の効果】
以上説明したように、本発明においては、切替電圧発生回路にはエミッタが接地された第一のスイッチトランジスタと、コレクタに電源電圧が印加された第二のスイッチトランジスタと、エミッタが接地されると共にベースが第二のスイッチトランジスタのベースに接続される第三のスイッチトランジスタとを設け、第一及び第三のスイッチトランジスタのコレクタをスイッチダイオードのカソードに直流的に接続すると共に、第二のスイッチトランジスタのエミッタをＵＨＦ増幅器に接続し、ＵＨＦ帯のテレビジョン信号の受信時には第一のスイッチトランジスタをオフにすると共に第二及び第三のスイッチトランジスタをオンにし、ハイバンドのテレビジョン信号の受信時には第一のスイッチトランジスタをオンにすると共に第二及び第三のスイッチトランジスタをオフにし、ローバンドのテレビジョン信号の受信時には第一、第二及び第三のスイッチトランジスタをオフにしたので、切替電圧発生回路と同調回路のスイッチダイオード、ＵＨＦ増幅器との間の接続が簡素になる。
【００３４】
また、第三のスイッチトランジスタのコレクタを第一の抵抗を介して第一のスイッチトランジスタのコレクタに接続したので、第三のスイッチトランジスタのオン時にスイッチダイオードに流す電流をＵＨＦ帯のテレビジョン信号を受信するときに少なくし、ＶＨＦ帯のハイバンドのテレビジョン信号を受信するときに多くすることが出来る。
【００３５】
また、スイッチダイオードのアノードとカソードとの間を第二の抵抗によって直流的に接続したので、スイッチダイオードがオフのときに、此が不安定となることがない。
【００３６】
また、切替電圧発生回路を内部に構成する集積回路を有し、集積回路には電源電圧が供給される第一の端子と、第一のスイッチトランジスタのコレクタが接続される第二の端子と、第二のスイッチトランジスタのエミッタが接続される第三の端子とを設け、第二のトランジスタのコレクタを集積回路内で第一の端子に接続したので、集積回路の端子数が少なくなり、これの小型化に有利となる。
【図面の簡単な説明】
【図１】本発明のテレビジョンチューナのバンド切替回路を示す回路図である。
【図２】本発明のテレビジョンチューナのバンド切替回路における切替状態図である。
【図３】従来のテレビジョンチューナのバンド切替回路を示す回路図である。
【図４】従来のテレビジョンチューナのバンド切替回路における切替状態図である。
【符号の説明】
１  アンテナ端子
２  ＶＨＦアンテナ同調回路
２ａ、２ｂ  インダクタンス素子
２ｃ  バラクタダイオード
２ｄ  スイッチダイオード
２ｅ  第二の抵抗
３  ＶＨＦ増幅器
４  ＶＨＦ段間同調回路
４ａ  スイッチダイオード
５  ＵＨＦアンテナ同調回路
６  ＵＨＦ増幅器
７  ＵＨＦ段間同調回路
１０  集積回路
１０ａ  第一の端子
１０ｂ  第二の端子
１０ｃ  第三の端子
１１  切替電圧発生回路
１１ａ  第一のスイッチトランジスタ
１１ｂ  第二のスイッチトランジスタ
１１ｃ  第三のスイッチトランジスタ
【図１】
0003847122.tif 000002
【図２】
0003847122.tif 000003
【図３】
0003847122.tif 000004
【図４】
0003847122.tif 000005